(57)【要約】      （修正有）【課題】簡単な構造で、ＰＴＰシートを簡単に包装でき、必要に応じてＰＴＰホルダーを切離してＰＴＰシートに取り付けて使用できるＰＴＰホルダー付き包装箱を提供する。【解決手段】突出部８０ａとフランジ部８０ｂを有するプラスチック成形体８０に、破断可能な蓋材シート８４が貼付されたＰＴＰシート７８を包装する箱体１１を備え、ＰＴＰシートを挟持して保護するＰＴＰホルダー６０を、分離用切断線６６を介して切離し可能に箱体内に一体に備える。ＰＴＰホルダーは、ＰＴＰシートを挟持可能であるとともに、箱体は、ＰＴＰシートを保持せずに箱体内に収容する。ＰＴＰホルダーは、ＰＴＰシートを両面から挟む一対の覆い片６２、６４が折罫線７２を介して二つ折りされ、覆い片の一方には、ＰＴＰシートの突出部が差し込まれる透孔７４が設けられ、一対の覆い片は、折罫線と透孔の間の一部を糊付けして互いに閉じられ、弾性変形により開閉可能である。【選択図】図１
0003217874.tif 000002
【実用新案登録請求の範囲】
【請求項１】
収容物を内側に収容した突出部と前記突出部の周囲に設けられたフランジ部を有するプラスチック成形体に破断可能な蓋材シートが貼り付けられて前記突出部の開口部が閉鎖されたＰＴＰシートを包装する箱体と、前記ＰＴＰシートを挟持して保護するＰＴＰホルダーが、分離用切断線を介して切離し可能に前記箱体内に一体に形成され、
前記ＰＴＰホルダーは前記ＰＴＰシートを挟持可能に形成されているとともに、前記箱体は、前記ＰＴＰシートを保持せずに離れた状態で前記箱体内に収容していることを特徴とするＰＴＰホルダー付き包装箱。
【請求項２】
前記ＰＴＰホルダーは、前記ＰＴＰシートを表面と裏面から挟む一対の覆い片が折罫線を介して二つ折りされて設けられ、前記一対の覆い片の一方には、前記ＰＴＰシートの前記プラスチック成形体の前記突出部が差し込まれる透孔が設けられ、
前記一対の覆い片は、前記折罫線と前記透孔の間の一部を糊付けして互いに閉じられ、前記覆い片の弾性変形により開閉可能であり、前記覆い片を弾性変形させて開いて前記ＰＴＰシートを前記一対の覆い片の間に入れ、前記覆い片の弾性変形を元に戻して閉じて前記ＰＴＰシートを保持する請求項１記載のＰＴＰホルダー付き包装箱。
【請求項３】
前記箱体は、複数の側面を筒体に組み立てて筒体の内側に収容空間が設けられ、
前記ＰＴＰホルダーは、前記収容空間側に面する前記側面の裏面に重ねられて設けられ、前記収容空間に前記ＰＴＰシートが、前記ＰＴＰホルダーに係止されずに離れた状態で収容される請求項１記載のＰＴＰホルダー付き包装箱。
【請求項４】
前記ＰＴＰホルダーには、前記ＰＴＰシートに収容された収容物に関する情報が表示されている請求項１，２又は３記載のＰＴＰホルダー付き包装箱。
【考案の詳細な説明】
【技術分野】
【０００１】
本考案は、医療用の錠剤等が入ったＰＴＰシートの包装に使用されるＰＴＰホルダー付き包装箱に関する。
【背景技術】
【０００２】
ＰＴＰシートは、医療用の錠剤等を収容する用途に広く使用されている。ＰＴＰシートに紙製等の台紙を取り付けて、取り扱いを容易にするとともに、台紙に錠剤についての情報を印刷して多くの情報を消費者に伝えるものがある。さらに、ＰＴＰシートを取り付けた台紙の外側を、箱体や筒体で包装するものもある。
【０００３】
例えば、特許文献１に開示されているプレススルーパック角状包装体ケースは、プレススルーパックを挟んで取り付ける一対の内蓋面板と、内蓋面板を角筒状に包む中央側面板、底面板、左側面板、上蓋面板が、順に連接して設けられている。上蓋面板には、差込片が設けられ、中央側面板に形成された差込口に差し込んで係止可能である。内蓋面板には、プレススルーパックの凹設収容部と同等の配列に孔が設けられている。このプレススルーパック角状包装体ケースの組立方法は、一対の内蓋面板にプレススルーパックを挟んで取り付け、内蓋面板を、中央側面板、底面板、左側面板、上蓋面板で覆って、筒状にし、上蓋面板に設けられた差込片を中央側面板に形成された差込口に差し込んで係止する。プレススルーパックを使用する時は、差込片の係止を解除し、中央側面板、底面板、左側面板、上蓋面板を開いて内蓋面板を露出させ、プレススルーパックの凹設収容部を押して錠剤等を取り出し、使用する。
【０００４】
また、特許文献２に開示されているＰＴＰ用包装体は、両端が開口した筒状の外装材と、ＰＴＰシートが取り付けられて外装材の内側に摺動可能に挿入される内装材とを備えている。内装材は、外装材と別体であり、互いに対向する第一の内板及び第二の内板と、第一及び第二の一端部同士を厚み方向に連結する連結板とを有している。内装材の、第一の内板及び第二の内板には、ＰＴＰシートを係止する舌片を形成する切込線と、ＰＴＰシートの突出部が係合可能な透孔が設けられている。このＰＴＰ用包装体の組立方法は、内装材の、２つの内板のどちらか一方、あるいは両方にＰＴＰシートを取り付け、第一の内板及び第二の内板と、連結板とを各々９０°に折り曲げて内装材を立体的な組立状態にする。また、外装材を筒状に組み立て、外装材の中に、ＰＴＰシートを取り付けた内装材を収容する。ＰＴＰシートを使用する時は、外装材から内装材を引き出し、ＰＴＰシートの突出部を押して錠剤等を取り出し使用する。
【先行技術文献】
【特許文献】
【０００５】
【特許文献１】特開２００３−３２１０７５号公報
【特許文献２】実用新案登録第３２１２３２８号公報
【考案の概要】
【考案が解決しようとする課題】
【０００６】
上記背景技術の場合、ＰＴＰシートを、予め内蓋面板や内装材に取り付ける作業が必要であり、医薬品のメーカーで包装に手間がかかり、作業効率が良くない。また、錠剤を使用するユーザーは、ＰＴＰシートを、まれにしか使用しない錠剤である場合やコンパクトに収容したい場合等に、内蓋面板や内装材が不要な時でも、予め取り付けられているため自由な使い方ができない。
【０００７】
この考案は、上記背景技術の問題点に鑑みてなされたものであり、簡単な構造で、ＰＴＰシートを簡単に包装することができ、必要に応じて適宜ＰＴＰホルダーを切離してＰＴＰシートを取り付けて使用することができるＰＴＰホルダー付き包装箱を提供することを目的とする。
【課題を解決するための手段】
【０００８】
本考案は、収容物を内側に収容した突出部と前記突出部の周囲に設けられたフランジ部を有するプラスチック成形体に破断可能な蓋材シートが貼り付けられて前記突出部の開口部が閉鎖されたＰＴＰシートを包装する箱体と、前記ＰＴＰシートを挟持して保護するＰＴＰホルダーが、分離用切断線を介して切離し可能に前記箱体内に一体に形成されているＰＴＰホルダー付き包装箱である。前記ＰＴＰホルダーは、前記ＰＴＰシートを挟持可能に形成されているとともに、前記箱体は、前記ＰＴＰシートを保持せずに離れた状態で前記箱体内に収容しているＰＴＰホルダー付き包装箱である。
【０００９】
前記ＰＴＰホルダーは、前記ＰＴＰシートを表面と裏面から挟む一対の覆い片が折罫線を介して二つ折りされて設けられ、前記一対の覆い片の一方には、前記ＰＴＰシートの前記プラスチック成形体の前記突出部が差し込まれる透孔が設けられている。前記一対の覆い片は、前記折罫線と前記透孔の間の一部を糊付けして互いに閉じられ、前記覆い片の弾性変形により開閉可能であり、前記覆い片を弾性変形させて開いて前記ＰＴＰシートを前記一対の覆い片の間に入れ、前記覆い片の弾性変形を元に戻して閉じて前記ＰＴＰシートを保持する。
【００１０】
前記箱体は、複数の側面を筒体に組み立てて筒体の内側に収容空間が設けられ、前記ＰＴＰホルダーは、前記収容空間側に面する前記側面の裏面に重ねられて設けられている。前記収容空間には、前記ＰＴＰシートが、前記ＰＴＰホルダーに係止されずに離れた状態で収容されている。
【００１１】
前記ＰＴＰホルダーの前記一対の覆い片は、互いにほぼ同じ形状であり、前記一対の覆い片の一方には、周縁部の一部を切り欠いた凹部が形成され、前記凹部から重ねられている他方の覆い片が露出し、前記一対の覆い片を開く時の手がかりとなる。
【００１２】
前記ＰＴＰホルダーには、前記箱体の筒体の開口側に位置する端部に、摘み片が前記端部から突出して形成されている。前記摘み片は、折罫線を介して前記端部に設けられ、前記ＰＴＰホルダーが重ねられる前記側面よりも開封された開口に突出し、前記摘み片は、前記開口を閉鎖する蓋片に押されて前記折罫線で折り曲げられて前記箱体に収容される。
【００１３】
前記ＰＴＰホルダーには、前記ＰＴＰシートに収容された収容物に関する情報等が表示されている。
【考案の効果】
【００１４】
本考案のＰＴＰホルダー付き包装箱は、簡単な構造で、ＰＴＰシートを簡単に包装することができ、ＰＴＰシートを取り付けて保護するＰＴＰホルダーが切離し可能に一体に設けられ、必要に応じて適宜ＰＴＰホルダーを切離してＰＴＰシートに取り付けて使用することができる。ＰＴＰホルダーには、ＰＴＰシートの収容物に関する情報や使用した日にちを記入する欄を表示し、収容物の管理に使用することができる。
【図面の簡単な説明】
【００１５】
【図１】この考案の第一実施形態のＰＴＰホルダー付き包装箱の斜視図である。
【図２】この考案の第一実施形態のＰＴＰホルダー付き包装箱のＰＴＰホルダーを切離す状態を示す斜視図である。
【図３】この考案の第一実施形態のＰＴＰホルダー付き包装箱の展開図である。
【図４】この考案の第一実施形態のＰＴＰホルダー付き包装箱のＰＴＰホルダーの正面図（ａ）と背面図（ｂ）である。
【図５】この考案の第一実施形態のＰＴＰホルダー付き包装箱の使用方法を示す斜視図である。
【図６】この考案の第二実施形態のＰＴＰホルダー付き包装箱の展開図である。
【考案を実施するための形態】
【００１６】
以下、この考案の実施形態について図面に基づいて説明する。図１〜図５はこの考案の第一実施形態を示すもので、この実施形態のＰＴＰホルダー付き包装箱１０は、紙製等の一枚のシートで形成された箱体形成片１２を組み立てて設けられている。図３は、箱体形成片１２を表面から見た展開図であり、箱体形成片１２には、側面１４，１６，１８，２０が、互いに平行に連接して形成されている。
【００１７】
４つの側面１４，１６，１８，２０は、収容物である後述の錠剤８２等が入れられた後述のＰＴＰシート７８を収容する箱体１１を形成する。側面１４，１６，１８，２０は、連接している幅方向の長さがほぼ同じであり、連接方向の長さは、側面１４，１８が長くて互いにほぼ等しく、側面１６，２０が短くて互いにほぼ等しい。側面１４の側縁部には、ＰＴＰホルダー付き包装箱１０の組み立て状態で側面２０の裏面に糊付けされる糊付片２２が設けられている。糊付片２２、側面１４，１６，１８，２０は、各々折罫線２４，２６，２８，３０で区切られている。
【００１８】
側面１４の、側面同士の連結方向に対して直角な一方の端部１４ａには、コの字の開封用の切断線３２が設けられている。切断線３２の両端部は端部１４ａに達し、切断線３２の中央部分は側面１４の中央に向かってコの字に膨出している。側面１４の端部１４ａと、切断線３２とで囲まれた矩形の部分は、開封する時に押して切断線３２を切断する開封口３３となる。切断線３２は、コの字形ではなく半円形状等でもよい。側面１４の、端部１４ａと反対側の端部１４ｂには、矩形の内側下蓋片３４が折罫線３６で区切られて設けられている。側面１４の、折罫線３６に隣接する部分には、半円形の廃棄用破断線３８が設けられている。廃棄用破断線３８は、折罫線３６から離れる方向に膨出する半円形で形成され、廃棄用破断線３８の両端部は、折罫線３６に達し、さらに折罫線３６に沿って互いに離れる方に延出している。廃棄用破断線３８と折罫線３６で囲まれた半円形の部分は、使用後に廃棄する時に押して廃棄用破断線３８を切断する押し部となる。
【００１９】
側面１６の、側面同士の連接方向に対して直角な方向の両端部には、矩形のフラップ４０が折罫線４２で区切られて各々設けられている。
【００２０】
側面１８の、側面１４の端部１４ａの延長に位置する端部には、矩形の上蓋片４４が折罫線４６で区切られて設けられている。上蓋片４４の、折罫線４６と反対側の端部には、差込片４８が折罫線５０で区切られて設けられている。側面１８の、折罫線４６と反対側の端部には、矩形の外側下蓋片５２が折罫線５４で区切られて設けられている。外側下蓋片５２は、内側下蓋片３４の表面に糊付けされるもので、内側下蓋片３４より少し大きい。
【００２１】
側面２０の、側面同士の連接方向に対して直角な方向の両端部には、矩形のフラップ５６が折罫線５８で区切られて各々設けられている。
【００２２】
糊付片２２の、折罫線２４と反対側の側縁部には、ＰＴＰホルダー付き包装箱１０の組み立て状態で箱体１１の内側に収容されるＰＴＰホルダー６０が連接して設けられている。ＰＴＰホルダー６０は、後述するＰＴＰシート７８を裏面から覆う第一覆い片６２と、表面から覆う第二覆い片６４から成る。
【００２３】
第一覆い片６２は、糊付片２２の、折罫線２４と反対側の側縁部に、分離用切断線６６を介して連接して設けられている。分離用切断線６６は、途中の数か所に切り残された連結部が設けられ、分離用切断線６６の、連結部に隣接する一方の端部には連結部を覆うＶ字形の切込線が各々設けられ、破断を容易にする。分離用切断線６６は、箱体１１の複数の折罫線２４，２６，２８，３０と平行に形成されている。第一覆い片６２は、ＰＴＰホルダー付き包装箱１０の組み立て状態で側面１８の裏面に重ねられるものであり、側面１８より僅かに小さい矩形である。第一覆い片６２の、側面１４の端部１４ａの延長に位置する端部６２ａには、外側に突出する半円形状の摘み片６８が、折罫線７０を介して設けられている。折罫線７０の途中に、折り曲げやすいように切断線が設けられてもよい。
【００２４】
第一覆い片６２の、分離用切断線６６と反対側の側縁部には、第二覆い片６４が折罫線７２を介して連接している。折罫線７２は、折り曲げやすいように長い切断線が設けられている。第二覆い片６４は、第一覆い片６２とほぼ同形状であり、後述するＰＴＰシート７８の突出部８０ａが差し込まれる複数個の透孔７４が設けられている。ここでは１０個の透孔７４が、５個ずつ２列に並んで設けられている。第二覆い片６４の、折罫線７２と反対側の側縁部６４ａには、なだらかな円弧形状に切り欠かれた凹部７６が形成されている。
【００２５】
箱体形成片１２の表面には、収容する収容物についての情報等が印刷された印刷部７７が設けられている。透孔７４の近傍に、使用した日にちや時間を記入する欄を印刷してもよい。
【００２６】
ここで、ＰＴＰホルダー付き包装箱１０に収容するＰＴＰシート７８について説明する。ＰＴＰシート７８は、プラスチック成形体８０が設けられ、プラスチック成形体８０には、収容物である錠剤８２を収容する突出部８０ａと、突出部８０ａの周縁部のフランジ部８０ｂが設けられている。ここでは、１０個の突出部８０ａが、５個ずつ２列に並んで設けられている。プラスチック成形体８０のフランジ部８０ｂには、突出部８０ａの突出方向と反対の面に薄いアルミ製の蓋材シート８４が貼り付けられ、突出部８０ａが閉鎖されている。
【００２７】
次に、ＰＴＰホルダー付き包装箱１０の組立方法について説明する。ここでは、図３が箱体形成片１２の表面を見たものであり、表面が凸になる折り方を正折り、そして裏面が凸になる折り方を逆折りと称する。まず、第二覆い片６４の裏面に、折罫線７２に沿って幅が狭い直線状に糊８６を塗布する。そして、折罫線７２を正折りして、第一覆い片６２の裏面に第二覆い片６４を片持ち状態で糊付けする。次に、折罫線２４を正折りし、糊付片２２の表面に糊８８を塗布する。糊８８は、折罫線２４に沿う直線状に長く塗布する。そして、折罫線２８を正折りし、側面２０の裏面に糊付片２２を糊付けする。この時、箱体形成片１２は折り畳み状態となり、この状態で、商品である収容物を包装する工場へ出荷される。
【００２８】
次に、収容物を収容し包装する工場において、折罫線２４，２６，２８，３０を各々９０°に正折りして四角形の筒体にする。この後、外側下蓋片５２の裏面に、折罫線５４と反対側の端部に沿って糊９０を塗布し、外側下蓋片５２の両側に位置するフラップ４０，５６を折罫線４２，５８で９０°に正折りし、内側下蓋片３４を折罫線３６で９０°に正折りし、次に外側下蓋片５２を折罫線５４で９０°に正折りする。外側下蓋片５２の裏面は内側下蓋片３４の表面に糊９０により糊付けされ、一方の端面が形成され、側面１４，１６，１８，２０は筒体に組み立てられ、筒体の内側に収容空間９２が形成される。ＰＴＰホルダー６０は、第二覆い片６４が第一覆い片６２に糊付けされているため二つ折り状態を維持し、二つ折りの状態で側面１８の裏面に、第一覆い片６２、第二覆い片６４の順で重ねられる。第二覆い片６４と、側面１８に対面する側面１４との間は、収容空間９２が広く空いている。他方の開口した端部には、ＰＴＰホルダー６０の摘み片６８が外側に突出し、摘み片６８は、上蓋片４４の裏面に重ねられている。
【００２９】
そして、開口した端部からＰＴＰシート７８を収容空間９２に入れる。ＰＴＰシート７８は、ＰＴＰホルダー６０に係止されずに離れた状態で収容される。そして開口した端部側の、フラップ４０，５６を折罫線４２，５８で９０°に正折りし、上蓋片４４を折罫線４６で９０°に正折りし、さらに差込片４８を折罫線５０で正折りし、側面１４の裏面側へ差し込み、糊９２により開封口３３に糊付けし、開口が閉鎖され、包装が完了する。摘み片６８は、上蓋片４４の裏面に重ねられているが、上蓋片４４を閉じる際に押され、折罫線７０で正折りされ収容されるため、支障がない。
【００３０】
ＰＴＰホルダー付き包装箱１０から錠剤８２を取り出すときは、側面１４の開封口３３を押して切断線３２を切断し、差込片４８を押し上げて上蓋片４４を開ける。収容空間９２からＰＴＰシート７８を取り出し、突出部８０ａを押し、蓋材シート８４を破断して錠剤８２を出して使用する。
【００３１】
包装箱１０の上蓋片４４を開けると、ＰＴＰホルダー６０の、上蓋片４４に押されて折り曲げられていた摘み片６８が復元し、側面１８の折罫線４６を超えて開口部から突出し、摘まみやすくなる。そして、ＰＴＰシート７８を携帯したり、箱体１１を外してコンパクトにする際に、ＰＴＰホルダー６０が必要な時は、箱体１１の開口から突出する摘み片６８を保持し、外側へ引き出す。すると、ＰＴＰホルダー６０と箱体１１との境界線である分離用切断線６６が切断され、ＰＴＰホルダー６０は箱体１１と切り離されて別体となり、箱体１１の収容空間９２から取り出される。
【００３２】
ＰＴＰホルダー６０は、第一覆い片６２と第二覆い片６４が折罫線７２で正折りされて合掌状態に折り重ねられている。しかし糊８６は、透孔７４と折罫線７２の間に、折罫線７２に沿って細い直線状に塗布されているため、第二覆い片６４は、折罫線７２の反対側の側縁部６４ａを第一覆い片６２から引き離して、弾性変形させて開くことができる。開いた第二覆い片６４の裏面に、図５に示すように、ＰＴＰシート７８を入れ、プラスチック成形体８０の突出部８０ａを透孔７４に差し込み、ＰＴＰホルダー６０によりＰＴＰシート７８を挟持する。一度挟持したＰＴＰシート７８は、第二覆い片６４の弾性変形が戻り、第一覆い片６２に閉じた状態に復元することにより、突出部８０ａが透孔７４に嵌合し、ＰＴＰシート７８は第二覆い片６４と第一覆い片６２に挟まれて確実に係止される。
【００３３】
第二覆い片６４の側縁部６４ａには、凹部７６が形成され、凹部７６の内側に第一覆い片６２が露出しているため、第二覆い片６４を第一覆い片６２から離す時の手がかりとなる。ＰＴＰシート７８の蓋材シート８４は、透孔等が無い第一覆い片６２に覆われているため、不用意に突出部８０ａに力が加えられても錠剤８２が出ることがない。
【００３４】
錠剤８２を服用する際に、その都度ＰＴＰホルダー６０の第二覆い片６４を弾性変形させて開きＰＴＰシート７８を出して、突出部８０ａから錠剤８２を出し、服用する。毎日連続して服用するものよりは、症状が出た時にのみ服用するものに適している。
【００３５】
使用済みのＰＴＰホルダー付き包装箱１０の箱体１１を破棄するときは、廃棄用破断線３８の内側を押して、廃棄用破断線３８を切断し、平坦に潰す。
【００３６】
この実施形態のＰＴＰホルダー付き包装箱１０によれば、簡単な構造で、ＰＴＰシート７８を簡単に包装することができ、ＰＴＰシート７８に取り付けて保護するＰＴＰホルダー６０が切離し可能に一体に設けられ、必要に応じて適宜ＰＴＰホルダー６０を切離してＰＴＰシート７８に取り付けて使用することができる。しかも、箱体１１とＰＴＰホルダー６０を同時に供給することができ、部品管理が容易である。また、包装する工場では、箱体１１を立体的に引き起こしてＰＴＰシート７８を入れ、封をするだけの簡単な作業で包装することができる。ＰＴＰホルダー６０は側面１８の裏面に重ねられて収容されるため、箱体１１に広い収容空間９２を空けることができ、ＰＴＰシート７８を収容空間９２に簡単に入れることができ、また複数個入れることもできる。さらに、以下のような効果を有する。
【００３７】
ＰＴＰホルダー６０には摘み片６８が設けられ、箱体１１を開封した時に摘み片６８が上蓋片４４の裏面に重ねられて突出するため、摘み片６８を保持しやすい。摘み片６８を保持して引くことで簡単に、ＰＴＰホルダー６０を、分離用切断線６６を切断して箱体１１から切離すことができる。ＰＴＰホルダー６０は、確実にＰＴＰシート７８を挟持して保護するため、携帯や保管に便利である。特にこの実施形態のＰＴＰホルダー付き包装箱１０は、ＰＴＰシート７８の蓋材シート８４を、ＰＴＰホルダー６０で保護することができ、蓋材シート８４の不用意な破れや錠剤８２の飛び出しを防ぐことができる。錠剤８２を服用する際に、その都度ＰＴＰホルダー６０の第二覆い片６４を開いてＰＴＰシート７８を出す必要があるが、毎日連続して服用するものよりは、症状が出た時にのみ服用するものに適して便利である。必要なときのみ、箱体１１から分離して使用することができ、不要な場合は邪魔にならない。
【００３８】
ＰＴＰホルダー６０にＰＴＰシート７８を取り付ける時は、第二覆い片６４の側縁部６４ａに凹部７６が形成され、凹部７６の内側に第一覆い片６２が露出しているため、第二覆い片６４を第一覆い片６２から容易に引き起こすことができ、ＰＴＰシート７８の取付作業が容易である。
【００３９】
ＰＴＰホルダー６０には、錠剤８２についての情報が印刷部７７に印刷されているため、箱体１１が無くても成分や使用方法等を確認することができる。また、錠剤８２を服用した日付や時間を記入する欄が印刷されているため、服用の履歴を残すことができる。これにより、服用時間を一定時間開ける錠剤８２等の場合にも、管理しやすく、間違いを防ぐことができる。
【００４０】
次にこの考案の第二実施形態について図６に基づいて説明する。なお、ここで、上記実施形態と同様の部材は同様の符号を付して説明を省略する。この実施形態のＰＴＰホルダー付き包装箱９４は、ＰＴＰホルダー６０の第一覆い片６２に、第二覆い片６４を重ねた時に透孔７４に対向する位置に、ほぼ同形状の透孔９６が形成されている。
【００４１】
この実施形態のＰＴＰホルダー付き包装箱９４の、組立方法と使用方法は、上記実施の形態と同様であり、必要に応じて、ＰＴＰホルダー６０を箱体１１から切離し、ＰＴＰシート７８に取り付ける。ＰＴＰシート７８の蓋材シート８４を覆う第一覆い片６２にも透孔９６が設けられているため、ＰＴＰシート７８は、第一覆い片６２と第二覆い片６４に挟まれて係止された状態のまま、錠剤８２を取り出すことができる。つまり、第二覆い片６４の透孔７４から突出している突出部８０ａを押して、蓋材シート８４を破断すると、錠剤８２が第一覆い片６２の透孔９６を通過して外に出る。なお逆に、突出部８０ａを第一覆い片６２の透孔９６から突出させ、第二覆い片６４の透孔７４から錠剤８２を取り出してもよい。
【００４２】
この実施形態のＰＴＰホルダー付き包装箱９４によれば、上記実施の形態と同様の効果を有するものである。ＰＴＰホルダー６０に取り付けたまま、ＰＴＰシート７８から錠剤８２を取り出すことができ、毎日連続して服用するものに適しており、錠剤８２を取り出す作業が簡単で便利である。
【００４３】
なお、この考案のＰＴＰホルダー付き包装箱は、上記各実施の形態に限定されるものではなく、収容する錠剤の数は適宜変更可能であり、また収容されるものは、錠剤やカプセル等の薬剤に限らず、他の商品でも良い。箱体の各部材の形状は自由に変更可能であり、蓋片や糊付片、開封や廃棄を容易にする切断線の、位置や形状等、適宜変更可能である。ＰＴＰホルダーの摘み片や凹部の形状や取り付け位置も、自由に変更可能であり、不要であればなくてもよい。
【符号の説明】
【００４４】
１０  ＰＴＰホルダー付き包装箱
１１  箱体
１２  箱体形成片
１４，１６，１８，２０  側面
６０  ＰＴＰホルダー
６２  第一覆い片
６４  第二覆い片
６６  分離用切断線
６８  摘み片
７２  折罫線
７４  透孔
７６  凹部
７７  印刷部
７８  ＰＴＰシート
８０  プラスチック成形体
８０ａ  突出部
８０ｂ  フランジ部
８２  錠剤
８４  蓋材シート
８６  糊
９２  収容空間
【図１】
0003217874.tif 000003
【図２】
0003217874.tif 000004
【図３】
0003217874.tif 000005
【図４】
0003217874.tif 000006
【図５】
0003217874.tif 000007
【図６】
0003217874.tif 000008